【手続補正書】
【提出日】平成16年6月2日(2004.6.2)
【手続補正１】
【補正対象書類名】明細書
【補正対象項目名】特許請求の範囲
【補正方法】変更
【補正の内容】
【特許請求の範囲】
【請求項１】
第１キーワード群に含まれる第１キーワードに該当する語と第２キーワード群に含まれる第２キーワードに該当する語とが所定の関係をもって出現する表現から所定のキーワードを抽出するルールに基づいて文書からキーワードを抽出するキーワード抽出装置の当該ルールを精製することを支援するキーワード抽出ルール精製支援装置であって、
ルールに適合した表現及び当該ルールをユーザに提示する提示手段と、
提示した表現に対して提示したルールを不適用とする指示をユーザから受け付ける受付手段と、
当該指示を受け付けた場合に、提示した表現に対して提示したルールが不適用となるように当該ルールを変更する制約強化手段と、
を備えたことを特徴とするキーワード抽出ルール精製支援装置。
【請求項２】
請求項１に記載のキーワード抽出ルール精製支援装置において、
制約強化手段は、提示した表現中の提示したルールに適合する語に該当するキーワードを当該ルールで規定される当該語に対応したキーワード群から削除することにより、提示した表現に対して提示したルールが不適用となるようにすることを特徴とするキーワード抽出ルール精製支援装置。
【請求項３】
請求項１に記載のキーワード抽出ルール精製支援装置において、
制約強化手段は、提示した表現中の提示したルールに適合する語に該当するキーワードを下位概念の複数のキーワードへ変換し、これら下位概念の複数のキーワードの中で当該語に該当するキーワードを当該ルールで規定される当該語に対応したキーワード群から削除することにより、提示した表現に対して提示したルールが不適用となるようにすることを特徴とするキーワード抽出ルール精製支援装置。
【請求項４】
第１キーワード群に含まれる第１キーワードに該当する語と第２キーワード群に含まれる第２キーワードに該当する語とが所定の関係をもって出現する表現から所定のキーワードを抽出するルールに基づいて文書からキーワードを抽出するキーワード抽出装置の当該ルールを精製することを支援するキーワード抽出ルール精製支援装置であって、
ルールで規定される第１キーワード及び第２キーワード及び関係の内の２つのみに適合した表現及び当該ルールをユーザに提示する提示手段と、
提示した表現に対して提示したルールを適用する指示をユーザから受け付ける受付手段と、
当該指示を受け付けた場合に、提示した表現に対して提示したルールが適用されるように当該ルールを変更する制約緩和手段と、
を備えたことを特徴とするキーワード抽出ルール精製支援装置。
【請求項５】
請求項４に記載のキーワード抽出ルール精製支援装置において、
制約緩和手段は、提示した表現中の提示したルールに不適合であった語の概念を示すキーワードを当該ルールで規定される当該語に対応したキーワード群に追加することにより、提示した表現に対して提示したルールが適用されるようにすることを特徴とするキーワード抽出ルール精製支援装置。
【請求項６】
請求項４に記載のキーワード抽出ルール精製支援装置において、
制約緩和手段は、提示した表現中の提示したルールに不適合であった語の概念を示すキーワードと当該ルールで規定される当該語に対応したキーワード群中のキーワードとの共通上位概念を示すキーワードに当該キーワード群中の当該キーワードを置き換えることにより、提示した表現に対して提示したルールが適用されるようにすることを特徴とするキーワード抽出ルール精製支援装置。
【請求項７】
請求項４に記載のキーワード抽出ルール精製支援装置において、
制約緩和手段は、提示した表現中の提示したルールに不適合であった語を当該ルールで規定される当該語に対応したキーワード群に追加することにより、提示した表現に対して提示したルールが適用されるようにすることを特徴とするキーワード抽出ルール精製支援装置。
【請求項８】
請求項４に記載のキーワード抽出ルール精製支援装置において、
制約緩和手段は、提示した表現中の提示したルールに不適合であった語と当該ルールで規定される当該語に対応したキーワード群中の表層的なキーワードとの共通上位概念を示すキーワードに当該表層的なキーワードを置き換えることにより、提示した表現に対して提示したルールが適用されるようにすることを特徴とするキーワード抽出ルール精製支援装置。
【請求項９】
請求項１乃至請求項８のいずれか１項に記載のキーワード抽出ルール精製支援装置において、
ルールで規定される第１キーワード群及び第２キーワード群及び関係の内の１つのみが異なる複数のルールを、当該異なる部分を総和した１つのルールへ変換するマージ手段を備えたことを特徴とするキーワード抽出ルール精製支援装置。
【請求項１０】
コンピュータに実行させるプログラムを当該コンピュータの入力手段が読取可能に記憶した記憶媒体において、
第１キーワード群に含まれる第１キーワードに該当する語と第２キーワード群に含まれる第２キーワードに該当する語とが所定の関係をもって出現する表現から所定のキーワードを抽出するルールに基づいて文書からキーワードを抽出するキーワード抽出装置の当該ルールを精製することを支援するために用いられ、
当該プログラムは、ルールに適合した表現及び当該ルールをユーザに提示する処理と、
提示した表現に対して提示したルールを不適用とする指示をユーザから受け付ける処理と、
当該指示を受け付けた場合に、提示した表現に対して提示したルールが不適用となるように当該ルールを変更する処理とを当該コンピュータに実行させることを特徴とする記憶媒体。
【請求項１１】
コンピュータに実行させるプログラムを当該コンピュータの入力手段が読取可能に記憶した記憶媒体において、
第１キーワード群に含まれる第１キーワードに該当する語と第２キーワード群に含まれる第２キーワードに該当する語とが所定の関係をもって出現する表現から所定のキーワードを抽出するルールに基づいて文書からキーワードを抽出するキーワード抽出装置の当該ルールを精製することを支援するために用いられ、
当該プログラムは、ルールで規定される第１キーワード及び第２キーワード及び関係の内の２つのみに適合した表現及び当該ルールをユーザに提示する処理と、
提示した表現に対して提示したルールを適用する指示をユーザから受け付ける処理と、
当該指示を受け付けた場合に、提示した表現に対して提示したルールが適用されるように当該ルールを変更する処理とを当該コンピュータに実行させることを特徴とする記憶媒体。
【請求項１２】
第１キーワード群に含まれる第１キーワードに該当する語と第２キーワード群に含まれる第２キーワードに該当する語とが所定の関係をもって出現する表現から所定のキーワードを抽出するルールに基づいて文書からキーワードを抽出するキーワード抽出装置の当該ルールを精製することを支援するキーワード抽出ルール精製支援装置におけるキーワード抽出ルール精製支援方法であって、
キーワード抽出ルール精製支援装置の提示手段が、ルールに適合した表現及び当該ルールをユーザに提示し、
キーワード抽出ルール精製支援装置の受付手段が、提示した表現に対して提示したルールを不適用とする指示をユーザから受け付け、
キーワード抽出ルール精製支援装置の制約強化手段が、当該指示を受け付けた場合に、提示した表現に対して提示したルールが不適用となるように当該ルールを変更する、ことを特徴とするキーワード抽出ルール精製支援方法。
【請求項１３】
第１キーワード群に含まれる第１キーワードに該当する語と第２キーワード群に含まれる第２キーワードに該当する語とが所定の関係をもって出現する表現から所定のキーワードを抽出するルールに基づいて文書からキーワードを抽出するキーワード抽出装置の当該ルールを精製することを支援するキーワード抽出ルール精製支援装置におけるキーワード抽出ルール精製支援方法であって、
キーワード抽出ルール精製支援装置の提示手段が、ルールで規定される第１キーワード及び第２キーワード及び関係の内の２つのみに適合した表現及び当該ルールをユーザに提示し、
キーワード抽出ルール精製支援装置の受付手段が、提示した表現に対して提示したルールを適用する指示をユーザから受け付け、
キーワード抽出ルール精製支援装置の制約緩和手段が、当該指示を受け付けた場合に、提示した表現に対して提示したルールが適用されるように当該ルールを変更する、ことを特徴とするキーワード抽出ルール精製支援方法。
【手続補正２】
【補正対象書類名】明細書
【補正対象項目名】発明の名称
【補正方法】変更
【補正の内容】
【発明の名称】キーワード抽出ルール精製支援装置、記憶媒体及びキーワード抽出ルール精製支援方法
【手続補正３】
【補正対象書類名】明細書
【補正対象項目名】０００１
【補正方法】変更
【補正の内容】
【０００１】
【発明の属する技術分野】
本発明は、例えば表現のパターンマッチングにより文書中からキーワードを抽出するキーワード抽出装置で用いられるキーワード抽出ルールの精製(強化及び緩和)を支援するキーワード抽出ルール精製支援装置や記憶媒体やキーワード抽出ルール精製支援方法に関する。
【手続補正４】
【補正対象書類名】明細書
【補正対象項目名】０００７
【補正方法】変更
【補正の内容】
【０００７】
本発明は、上記のような従来の事情を鑑みてなされたもので、例えば表現のパターンマッチングにより文書中からキーワードを抽出するキーワード抽出装置で用いられるキーワード抽出ルールの精製(強化及び緩和)を支援することができるキーワード抽出ルール精製支援装置や記憶媒体やキーワード抽出ルール精製支援方法を提供することを目的とする。
【手続補正５】
【補正対象書類名】明細書
【補正対象項目名】００２０
【補正方法】変更
【補正の内容】
【００２０】
また、同様に、本発明に係る記憶媒体は、コンピュータに実行させるプログラムを当該コンピュータの入力手段が読取可能に記憶しており、第１キーワード群に含まれる第１キーワードに該当する語と第２キーワード群に含まれる第２キーワードに該当する語とが所定の関係をもって出現する表現から所定のキーワードを抽出するルールに基づいて文書からキーワードを抽出するキーワード抽出装置の当該ルールを精製することを支援するために用いられ、当該プログラムは、ルールで規定される第１キーワード及び第２キーワード及び関係の内の２つのみに適合した表現及び当該ルールをユーザに提示する処理と、提示した表現に対して提示したルールを適用する指示をユーザから受け付ける処理と、当該指示を受け付けた場合に提示した表現に対して提示したルールが適用されるように当該ルールを変更する処理とを当該コンピュータに実行させる。
また、本発明は、キーワード抽出ルール精製支援方法として提供することもできる。
【手続補正６】
【補正対象書類名】明細書
【補正対象項目名】０１０６
【補正方法】変更
【補正の内容】
【０１０６】
【発明の効果】
以上説明したように、本発明に係るキーワード抽出ルール精製支援装置や記憶媒体やキーワード抽出ルール精製支援方法によると、例えばキーワードを抽出すべきでないのに或るキーワード抽出ルールとマッチしてしまうような場合であっても、そのルールの制約を強化してマッチしないようにすることができ、また、例えばキーワードを抽出すべきであるのにマッチするキーワード抽出ルールが存在しないような場合であっても、その表現に近いキーワード抽出ルールの制約を緩和してマッチするようにすることができる。こうしたことから、例えば文書に合わせて既存のキーワード抽出ルールの制約強化処理や制約緩和処理を繰り返して行うことによって、キーワード抽出ルールの精製を実現することができる。